(57)【要約】【課題】事務所において、着座した事務員を頭寒足熱の状態になるように快適に温めることのできる事務所用足温装置を提供する。【解決手段】一対の第１事務デスク１０の背面板１２同士が互いに対面するように一対の第１事務デスクＤ１を背中合わせに配置し、これにより、一対の第１事務デスク１０の間に両側部において開口する風洞１５を形成し、一対の第１事務デスクＤ１からなるデスクユニットを風洞１５が直線的に並ぶように複数対配置し、風洞１５の一方の側部の開口に温風器２０を配置し、風洞１５の他方の側部の開口を覆う覆板１２を設け、事務デスク１０の背面板１２の下方に形成された下開口１２ｄから足を収容する収容空間Ｓに向って温風が吹き出すようにした。【選択図】図５
2011179700.tif 000002
【特許請求の範囲】
【請求項１】
事務デスクに対し着座した事務員の足を温める事務所用足温装置であって、
着座した事務員の足の２つの側面を覆う一対の側板と、前記事務員の足の前方の面を覆う背面板と、前記背面板よりも前方に向って突出した天板と、前記一対の側板、背面板および天板に囲まれた前記足を収容する収容空間とを備えた一対の第１事務デスクの前記背面板同士が互いに対面するように前記一対の第１事務デスクを背中合わせに配置し、これにより、前記一対の第１事務デスクの間に両側部において開口する風洞を形成し、
前記一対の第１事務デスクからなるデスクユニットを前記風洞が直線的に並ぶように複数対配置し、
前記風洞の一方の側部の開口に温風器を配置し、
前記風洞の他方の側部の開口を覆う覆板を設け、
前記事務デスクの前記背面板の下方に形成された下開口から前記収容空間に向って温風が吹き出すようにした事務所用足温装置。
【請求項２】
請求項１において、前記複数対の第１事務デスクのうち前記他方の側部に前記天板、前記背面板および前記一対の側板を有する第２事務デスクが設けられ、当該第２事務デスクの背面板が前記一対の第１事務デスクの側部に対向しており、これにより、前記背面板が前記覆板を構成している事務所用足温装置。
【請求項３】
請求項２において、前記第２事務デスクの背面板である覆板と前記一対の第１事務デスクの側部との間に形成された空間の両端を閉塞する閉塞部材を段ボール箱で形成した事務所用足温装置。
【請求項４】
請求項３において、前記複数対の事務デスクのうち前記一方の側部に前記天板、前記背面板および前記一対の側板を有する第３事務デスクが設けられ、当該第３事務デスクの背面板が前記一対の第１事務デスクの側部に対向しており、前記第３の背面板の下方に形成された下開口から前記温風器の温風が前記風洞に向って送風されるようにした事務所用足温装置。
【請求項５】
請求項４において、前記温風器の騒音を吸収する消音装置を更に備え、
前記消音装置は前記温風器の温風の吹出口とは反対側の背面、上面および両側面を覆う段ボールで形成され、前記背面に複数の貫通孔が形成されている事務所用足温装置。
【請求項６】
請求項５において、前記背面を形成する段ボールが二重に形成されている事務所用足温装置。
【請求項７】
請求項６において、前記二重の段ボールの間に炭が設けられている事務所用足温装置。
【請求項８】
請求項７において、前記炭は一対の不織布の間に挟まれている事務所用足温装置。
【請求項９】
請求項８において、前記一対の不織布は格子状に溶着されており、前記溶着された部位に複数の通気孔が形成されている事務所用足温装置。
【発明の詳細な説明】
【技術分野】
【０００１】
本発明は事務所用足温装置に関する。
【背景技術】
【０００２】
一般に、事務所内の暖房は、天井に設けられたエアコンの吹出口から温風が吹き出され、部屋全体が温められるように設定されている。
【先行技術文献】
【特許文献】
【０００３】
【特許文献１】特開２００７−２９２４３１（要約書）
【発明の概要】
【発明が解決しようとする課題】
【０００４】
しかし、上方から温風が吹き出されるので、上半身が暖まる一方、下半身は差程暖まらないという現象が生じる。一方、下半身を温めるためにエアコンの設定温度を上げると、上半身の温度が上がりすぎ、上気した（のぼせた）ような状態となり、仕事の能率が低下する。
【０００５】
したがって、本発明の主な目的は、事務所において、簡素な構成で、着座した事務員を頭寒足熱の状態になるように快適に温めることのできる事務所用足温装置を提供することである。
【課題を解決するための手段】
【０００６】
前記目的を達成するために、本発明の事務所用足温装置は、事務デスクに対し着座した事務員の足を温める事務所用足温装置であって、着座した事務員の足の２つの側面を覆う一対の側板と、前記事務員の足の前方の面を覆う背面板と、前記背面板よりも前方に向って突出した天板と、前記一対の側板、背面板および天板に囲まれた前記足を収容する収容空間とを備えた一対の第１事務デスクの前記背面板同士が互いに対面するように前記一対の第１事務デスクを背中合わせに配置し、これにより、前記一対の第１事務デスクの間に両側部において開口する風洞を形成し、前記一対の第１事務デスクからなるデスクユニットを前記風洞が直線的に並ぶように複数対配置し、前記風洞の一方の側部の開口に温風器を配置し、前記風洞の他方の側部の開口を覆う覆板を設け、前記事務デスクの前記背面板の下方に形成された下開口から前記収容空間に向って温風が吹き出すようにした。
【発明の効果】
【０００７】
本発明によれば、温風器で生成された温風は一方の側部の開口から風洞内に吹き出され、当該風洞から事務デスクの背面板の下方に形成された下開口を通って、足を収容する収容空間に向って温風が吹き出す。したがって、１台の温風器で事務員の足元を効率よく温めることができる。
また、事務員の足元を温めることで、エアコンの設定温度を低めに抑えることができるので省エネルギー効果が期待できる。
さらに、事務員が頭寒足熱の状態になるので、仕事の能率低下を防止することができる。また、上半身の温度が上がりすぎるなど事務員の身体に負担が掛かる状態を防止することができる。
【０００８】
また、事務デスクを背中合わせに配置するだけの簡単な構造で頭寒足熱の状態を実現することができる。
また、温風器および覆板を設けるだけで事務員の足元を温めることができるので、著しく簡素かつ安価な装置で暖房効率の良好な事務所環境を提供し得る。
【０００９】
なお、温風器としては、たとえば、市販の電気式温風ファンヒータを採用することができる。
【図面の簡単な説明】
【００１０】
【図１】本発明の実施例１にかかる事務所用足温装置を示す概略斜視図である。
【図２】一般的な事務デスクを示す概略正面図である。
【図３】同事務デスクを示す概略斜視図である。
【図４】一対の第１事務デスクを示す概略斜視図である。
【図５】第１〜第３事務デスクおよび閉塞部材である段ボール箱を示す概略分解斜視図である。
【図６】事務所用足温装置を示す概略平面図である。
【図７】事務デスクに温風器および消音装置を配置した状態を示す概略斜視図である。
【図８】図８Ａは第３事務デスクに消音装置を配置した状態を示す概略正面図、図８Ｂは温風器および消音装置を示す概略斜視図である。
【図９】図９Ａは温風器および消音装置３０を示す概略断面図、図９Ｂは一部破断した炭シートを示す概略正面図である。
【図１０】図１０Ａは実施例２にかかる事務所用足温装置を示す概略平面図、図１０Ｂは実施例３にかかる事務所用足温装置を示す概略平面図である。
【発明を実施するための最良の形態】
【００１１】
本発明において、前記複数対の第１事務デスクのうち前記他方の側部に前記天板、前記背面板および前記一対の側板を有する第２事務デスクが設けられ、当該第２事務デスクの背面板が前記一対の第１事務デスクの側部に対向しており、これにより、前記背面板が前記覆板を構成しているのが好ましい。
【００１２】
かかる態様によれば、前記複数対の事務デスクの側部に設けられた第２デスクの事務員の足元も温めることができる。
また、別途、覆板を設ける必要がなくなる。
【００１３】
本発明において、前記第２事務デスクの背面板である覆板と前記一対の第１事務デスクの側部との間に形成された空間の両端を閉塞する閉塞部材を段ボール箱で形成するのが好ましい。
かかる態様によれば、段ボール箱を収容箱として使用することができ、スペース効率が向上するだけでなく、段ボールは弾力があるので温まった空気を逃がしにくい。
【００１４】
本発明において、前記複数対の事務デスクのうち前記一方の側部に前記天板、前記背面板および前記一対の側板を有する第３事務デスクが設けられ、当該第３事務デスクの背面板が前記一対の第１事務デスクの側部に対向しており、前記第３の背面板の下方に形成された下開口から前記温風器の温風が前記風洞に向って送風されるようにするのが好ましい。
かかる態様によれば、第３事務デスクを効率良く配置することができる。
【００１５】
本発明において、前記温風器の騒音を吸収する消音装置を更に備え、前記消音装置は前記温風器の温風の吹出口とは反対側の背面、上面および両側面を覆う段ボールで形成され、前記背面に複数の貫通孔が形成されているのが好ましい。
かかる態様によれば、温風器の吹出口とは反対側の背面、上面および両側面が段ボールで覆われているので、大きな消音効果が得られる。
【００１６】
本発明において、前記背面を形成する段ボールが二重に形成されているのが好ましい。
かかる態様によれば、背面を形成する段ボールが二重に形成されているので、より一層大きな消音効果が得られる。
【００１７】
本発明において、前記二重の段ボールの間に炭が設けられているのが好ましい。
かかる態様によれば、温風器を可動させて事務所内の空気を対流させることにより、足元の暖房と共に、炭の吸着効果によって事務所内の空気を清浄することができる。
【００１８】
本発明において、前記炭は一対の不織布の間に挟まれているのが好ましい。
かかる態様によれば、炭が一対の不織布の間に挟まれているので、炭の取り換えが至便である。また、使用中に炭粉が飛散するおそれがない。
【００１９】
本発明において、前記一対の不織布は格子状に溶着されており、前記溶着された部位に複数の通気孔が形成されているのが好ましい。
かかる態様によれば、複数の通気孔から空気が取り込まれるので、消音装置内の温風器に外気を大量に送り込むことができる。
【実施例１】
【００２０】
図１〜図９は実施例１を示す。
本実施例１では、図１に示すように複数の事務デスク１０からなるデスクユニットが配置されている。前記各事務デスク１０には、該事務デスク１０に着座した事務員の足を収容する収容空間Ｓが形成されている。一方の端部の事務デスク１０の収容空間Ｓには温風器２０が配置されている。
本事務所用足温装置は、前記温風器２０を作動させることで、矢印で示すように、温風Ｗｈが各事務デスク１０の収容空間Ｓに向って吹き出し、事務デスク１０に着座した事務員の足元を温めるものである。
【００２１】
事務デスク１０：
まず、前記デスクユニットを構成する事務デスク１０について簡単に説明する。
図２〜図３の網点部分は背面板１２を示している。
図２および図３に示すように、事務デスク１０は、着座した事務員の足の２つの側面を覆う一対の側板１１，１１と、事務員の足の前方を覆う背面板１２と、前記背面板１２よりも前方に突出した天板１３を備えている。前記一対の側板１１，１１のうち、一方の側板１１は引出し１４の側面で構成されている。
【００２２】
前記側板１１，１１、背面板１２および天板１３により事務員の足を収容する収容空間Ｓが構成されている。
図２に示すように、背面板１２は、床面Ｆまで延びておらず、下開口１２ｄが形成されている。
【００２３】
第１事務デスクＤ１：
図３に示す一対の事務デスク１０の前記背面板１２同士が互いに対面するように、図４に示すように事務デスク１０を背中合わせに配置することで、一対の第１事務デスクＤ１が形成される。
前記天板１３が背面板１２よりも前方に突出していることで、事務デスク１０を背中合わせに配置することで、対面する天板１３同士が接触し、前記一対の第１事務デスクＤ１の間に風洞１５が形成される。前記風洞１５は、事務デスク１０，１０の幅方向Ｗの両端部において開口している。
【００２４】
図５に示すように、複数組の第１事務デスクＤ１同士を、隣り合う第１事務デスクＤ１の側板１１と引出し１４とが接触するように配置する。かかる配置によって、図６に示すように、前記一対の第１事務デスクＤ１からなるデスクユニットにおいて、風洞１５が直線的に並ぶように複数配置される。
なお、図６において、引出し１４の部分には網点を施してある。また、各事務デスク１０には、事務員が着座する椅子１６がそれぞれ配置されている。
【００２５】
前記風洞１５の一方の側部の開口に温風器２０を配置すると、図６の矢印で示すように、前記風洞１５内を温風Ｗｈが通る。
ここで、図２に示すように、背面板１２の下部には下開口１２ｄが形成されているので、風洞１５内を通る温風Ｗｈが前記下開口１２ｄから前記収容空間Ｓ内に吹き出す。
【００２６】
第２事務デスクＤ２：
図６に示す前記複数対の第１事務デスクＤ１のうち、幅方向Ｗの他方の側部には、前記事務デスク１０からなる第２事務デスクＤ２が設けられている。
図５に示すように、前記第２事務デスクＤ２の背面板１２は一対の第１事務デスクＤ１の他方の側部に対向しており、これにより、第２事務デスクＤ２の背面板１２が風洞１５の他方の開口を覆う覆板を構成している。
【００２７】
図６に示す温風Ｗｈは、矢印で示すように、風洞１５を通り、第２事務デスクＤ２の背面板１２の下開口１２ｄ（図２）から収容空間Ｓ内に吹き出す。
【００２８】
第３事務デスクＤ３：
図５および図６に示すように、前記複数対の第１事務デスクＤ１のうち、一方の側部には、前記事務デスク１０からなる第３事務デスクＤ３が設けられている。
図５に示すように、前記第３事務デスクＤ３の背面板１２は、一対の第１事務デスクＤ１の一方の側部に対向している。
【００２９】
図７に示すように、第３事務デスクＤ３の収容空間Ｓ内には温風器２０が配置されており、該温風器２０から吹き出した温風Ｗｈ（図６）は、図８Ａに示す第３事務デスクＤ３の背面板１２の下開口１２ｄから前記風洞１５内に向って送風される。
前記温風器２０には後述する消音器３０が設けられている。
【００３０】
段ボール箱５０：
ここで、図５および図６に示すように、第１事務デスクＤ１と第２事務デスクＤ２との隙間、および第１事務デスクＤ１と第３事務デスクＤ３との隙間には、前記隙間から温風Ｗｈが漏れるのを防止し、風洞１５内を温風Ｗｈがスムースに流れるように段ボール箱５０が設けられている。
【００３１】
図５に示す第３事務デスクＤ３側の一対の段ボール箱５０は、第３事務デスクＤ３の背面板１２と、第１事務デスクＤ１の一方の側部との間に形成された空間の両端をそれぞれ閉塞している。一方、第２事務デスクＤ２側の別の一対の段ボール箱５０は、第２事務デスクＤ２の背面板１２である覆板と、前記第１事務デスクＤ１の側部との間に形成された空間の両端を閉塞している。
なお、前記段ボール箱５０は、種々の物品を収納するための物置としても用いることができる。
【００３２】
したがって、図６の矢印で示すように、温風器２０から吹き出した温風Ｗｈは、風洞１５内を通りながら、第１事務デスクＤ１を構成する図２に示す各事務デスク１０の収容空間Ｓに各事務デスク１０の背面板１２の下開口１２ｄからそれぞれ吹き出し、第１事務デスクＤ１内の収容空間Ｓに足を収納した事務員の足元が暖まる。
一方、図６に示す風洞１５を通った温風Ｗｈは、図２に示す第２事務デスクＤ２の背面板１２の下開口１２ｄから吹き出し、第２事務デスクＤ２の収容空間Ｓに足を収納した事務員の足元が暖まる。
さらに、図８Ａに示す第３事務デスクＤ３の背面板１２に当たった一部の温風Ｗｈは、第３事務デスクＤ３の収容空間Ｓ内に戻され、第３事務デスクＤ３内の収容空間Ｓに足を収納した事務員の足元が暖まる。
【００３３】
消音装置３０：
図８Ｂに示すように、前記温風器２０は消音装置３０に覆われている。
前記消音装置３０は、温風器２０の温風Ｗｈの吹出口２１とは反対側の背面２１、上面２２および両側面２３，２３を覆う段ボールで形成されている。図８Ａに示すように、消音装置３０の上面、側面および背面には、複数の貫通孔３１が形成されている。
なお、貫通孔３１は消音装置３０の背面のみに形成されていてもよい。
【００３４】
図９Ａに示すように、消音装置３０は断面が二重に形成されており、その背面側には、二重の段ボールの間に炭シート４０が設けられている。
【００３５】
炭シート４０：
図９Ｂに示すように、前記炭シート４０は、一対の不織布４１，４１の間に炭４２を挟んだものである。前記炭４２は格子状に溶着されており、前記格子に囲まれた各袋内に炭粉４２がそれぞれ収容されている。
前記溶着部分には、複数の通気孔４３が形成されている。
【００３６】
したがって、図９Ａに示すように、外気Ｗｃは外側の段ボールＣ１の貫通孔３１から、図９Ｂの炭粉４２および通気孔４３を通り、内側の段ボールＣ２の貫通孔３１を経て温風器２０に供給される。前記外気Ｗｃは温風器２０で温められ、該温風器２０の吹出口２１から温風Ｗｈとして吹き出される。
ここで、温風器２０の吹出口２１は温風器２０の下部に形成されているので、温風Ｗｈは、第３事務デスクＤ３の背面板１２の下開口１２ｄから風洞１５（図７，図８Ａ）内に吹き出される。
【実施例２】
【００３７】
図１０Ａは実施例２を示す。
図１０Ａにおいて、引出し１４には網点を施してある。
図１０Ａに示すように、本実施例２では、複数組の一対の第１事務デスクＤ１と第２事務デスクＤ２とが設けられている。前記一対の第１事務デスクＤ１の間に形成された風洞１５の一方の端部には温風器２０が配置されている。
したがって、矢印で示すように、温風Ｗｈが第１事務デスクＤ１および第２事務デスクＤ２を構成する図２に示す事務デスク１０の背面板１２の下開口１２ｄからそれぞれ吹き出し、各事務デスク１０内の収容空間Ｓに足を収納した事務員の足元が暖まる。
その他の構成は、実施例１と同様であり、同一部分または相当部分に同一符号を付して、その説明を省略する。
【実施例３】
【００３８】
図１０Ｂは実施例３を示す。
図１０Ｂにおいて、引出し１４には網点を施してある。
図１０Ｂに示すように、本実施例３では、複数組の一対の第１事務デスクＤ１が設けられている。前記一対の第１事務デスクＤ１の間に形成された風洞１５の一方の端部には温風器２０が配置されている。前記風洞１５の他方の端部には、該風洞１５の他方の開口を覆う覆板５が設けられている。
したがって、温風Ｗｈが第１事務デスクＤ１を構成する図２に示す事務デスク１０の背面板１２の下開口１２ｄからそれぞれ吹き出し、各事務デスク１０内の収容空間Ｓに足を収納した事務員の足元が暖まる。
【００３９】
なお、覆板５としては、たとえば、段ボールや板状の発泡スチロールなどを用いてもよいし、風洞１５内に挿入し得る大きさの段ボール箱などを用いてもよい。
その他の構成は、実施例１と同様であり、同一部分または相当部分に同一符号を付して、その説明を省略する。
【００４０】
なお、前述した各実施例の一対の第１事務デスクＤ１は、複数組設けることとしたが、第１事務デスクＤ１は１組以上であればよい。
【産業上の利用可能性】
【００４１】
本発明の事務所用足温装置は事務所内の暖房に用いることができる。
【符号の説明】
【００４２】
５（１２）：覆板
１０：事務デスク
１１：側板
１２：背面板
１２ｄ：下開口
１３：天板
１５：風洞
２０：温風器
３０：消音装置
３１：貫通孔
４２：炭（炭粉）
４１：不織布
４３：通気孔
５０：閉塞部材（段ボール箱）
Ｄ１：第１事務デスク
Ｄ２：第２事務デスク
Ｄ３：第３事務デスク
Ｓ：収容空間
【図１】
2011179700.tif 000003
【図２】
2011179700.tif 000004
【図３】
2011179700.tif 000005
【図４】
2011179700.tif 000006
【図５】
2011179700.tif 000007
【図６】
2011179700.tif 000008
【図７】
2011179700.tif 000009
【図８】
2011179700.tif 000010
【図９】
2011179700.tif 000011
【図１０】
2011179700.tif 000012
【手続補正書】
【提出日】平成22年7月13日(2010.7.13)
【手続補正１】
【補正対象書類名】特許請求の範囲
【補正対象項目名】全文
【補正方法】変更
【補正の内容】
【特許請求の範囲】
【請求項１】
事務デスクに対し着座した事務員の足を温める事務所用足温装置であって、
着座した事務員の足の２つの側面を覆う一対の側板と、前記事務員の足の前方の面を覆う背面板と、前記背面板よりも前方に向って突出した天板と、前記一対の側板、背面板および天板に囲まれた前記足を収容する収容空間とを備えた一対の第１事務デスクの前記背面板同士が互いに対面するように前記一対の第１事務デスクを背中合わせに配置し、これにより、前記一対の第１事務デスクの間に両側部において開口する風洞を形成し、
前記一対の第１事務デスクからなるデスクユニットを前記風洞が直線的に並ぶように複数対配置し、
前記風洞の一方の側部の開口に温風器を配置し、
前記風洞の他方の側部の開口を覆う覆板を設け、
前記複数対の第１事務デスクのうち前記他方の側部に前記天板、前記背面板、前記収容空間および前記一対の側板を有する第２事務デスクが設けられ、当該第２事務デスクの背面板が前記一対の第１事務デスクの側部に対向しており、これにより、前記第２事務デスクの背面板が前記覆板を構成し、
前記複数対の事務デスクのうち前記一方の側部に前記天板、前記背面板、前記収容空間および前記一対の側板を有する第３事務デスクが設けられ、当該第３事務デスクの背面板が前記一対の第１事務デスクの側部に対向しており、前記第３事務デスクの背面板の下端から床面までに形成された下開口から前記温風器の温風が前記風洞に向って送風されるようにし、
前記第２および第３事務デスクの背面板と前記一対の第１事務デスクの側部との間に形成された空間の両端を閉塞部材で閉塞し、
前記各事務デスクの前記背面板の下端から床面までに形成された下開口から前記各収容空間に向かって温風が吹き出すようにした事務所用足温装置。
【請求項２】
請求項１において、前記閉塞部材が段ボール箱で形成されている事務所用足温装置。
【請求項３】
請求項２において、前記温風器の騒音を吸収する消音装置を更に備え、
前記消音装置は前記温風器の温風の吹出口とは反対側の背面、上面および両側面を覆う段ボールで形成され、前記背面に複数の貫通孔が形成されている事務所用足温装置。
【請求項４】
請求項３において、前記背面を形成する段ボールが二重に形成されている事務所用足温装置。
【請求項５】
請求項４において、前記二重の段ボールの間に炭が設けられている事務所用足温装置。
【請求項６】
請求項５において、前記炭は一対の不織布の間に挟まれている事務所用足温装置。
【請求項７】
請求項６において、前記一対の不織布は格子状に溶着されており、前記溶着された部位に複数の通気孔が形成されている事務所用足温装置。